(57)【要約】【目的】    本発明は、部品点数を少なくして軽量かつコンパクトにし、剛性や強度を向上するとともに、組立を容易にした組立椅子を提供することを目的とする。【構成】    分解・組立可能な組立椅子において、該組立椅子は、板状の材料をトリミングしてなる座面、第１脚部及び第２脚部からなり、該第１脚部には中央線上を下方から上方に向かって取付溝を設け、該第２脚部には中央線上を上方から下方に向かって取付溝を設け、該第１脚部と該第２脚部の該取付溝同士を嵌合して、該第１脚部と該第２脚部同士を組付け可能にし、該第１脚部と該第２脚部の上面には結合部を設け、前記座面には対応する結合部を設け、該第１脚部と該第２脚部の該結合部と該座面の該結合部を嵌合させて、該座面を該第１脚部と該第２脚部に組付け可能にしてあることを特徴とする組立椅子である。【選択図】図１
2007125351.tif 000002
【特許請求の範囲】
【請求項１】
携帯時には折り畳み、使用時には組立てて使用する組立椅子において、
該組立椅子は、板状の材料を形成してなる座面、第１脚部及び第２脚部からなり、
該第１脚部には中央線上を下方から上方に向かって取付溝を設け、該第２脚部には中央線上を上方から下方に向かって取付溝を設け、該第１脚部と該第２脚部の該取付溝同士を嵌合して、該第１脚部と該第２脚部同士を組付け可能にし、
該第１脚部と該第２脚部の上面には結合部を設け、前記座面には対応する結合部を設け、該第１脚部と該第２脚部の該結合部と該座面の該結合部を嵌合させて、該座面を該第１脚部と該第２脚部に組付け可能にしてあることを特徴とする組立椅子。
【請求項２】
前記第１脚部及び前記第２脚部は、板状の材料を台形状に形成したことを特徴とする請求項１に記載の組立椅子。
【請求項３】
前記第１脚部及び前記第２脚部は、該第１脚部と該第２脚部の下辺には開口部を設けたことを特徴とする請求項１又は請求項２に記載の組立椅子。
【発明の詳細な説明】
【技術分野】
【０００１】  本発明は、携帯に便利な組立椅子に関する。詳しくは、行楽等に行くときにコンパクトに畳んでバッグに収容でき、目的地では組立てて椅子として使用できる組立椅子に関する。
【背景技術】
【０００２】  従来から、キャンプ等に携行する折畳椅子があった。このような折畳椅子は金属のフレームを組合せて骨格を形成し、布製又は合成樹脂の座面を張って、携行時は折畳み、使用時は展開して着座するタイプの椅子があった。しかし、このような折畳椅子は、いくつかの金属製のフレームとそれらを結合する金具、及び座面を構成する布が必要であった。このように、従来の組立椅子は部品点数が多くなるだけでなく、製造時に金属パイプをカットして折り曲げ、溶接または金具により金属フレームを組立て、更に布製や合成樹脂製の座面を縫付ける多くの工数が必要であった。
このような問題を解決するために、特開２００２−０１７４６３（特許文献１）に示すように、４枚の板を組合せてなる組立椅子が提案されていた。
【特許文献１】  特開２００２−０１７４６３
【発明の開示】
【発明が解決しようとする課題】
【０００３】  しかしながら、本従来技術は４枚の板を必要とし、携行するときに重く嵩張るという問題があった。また、組立てた際に斜め方向の剛性が十分でなく、大きな力が加わると、撓んだり、形が崩れてしまう恐れがあった。さらに、組立作業も複雑で時間がかかり、子供や障害者にとって使用が難しいという問題があった。
本発明は、上記問題点を解決し、部品点数を少なくして軽量かつコンパクトにし、剛性や強度を向上するとともに、組立を容易にした組立椅子を提供することを目的とする。
【課題を解決するための手段】
【０００４】  携帯時には折り畳み、使用時には組立てて使用する組立椅子において、
該組立椅子は、板状の材料を形成してなる座面、第１脚部及び第２脚部からなり、
該第１脚部には中央線上を下方から上方に向かって取付溝を設け、該第２脚部には中央線上を上方から下方に向かって取付溝を設け、該第１脚部と該第２脚部の該取付溝同士を嵌合して、該第１脚部と該第２脚部同士を組付け可能にし、
該第１脚部と該第２脚部の上面には結合部を設け、前記座面には対応する結合部を設け、該第１脚部と該第２脚部の該結合部と該座面の該結合部を嵌合させて、該座面を該第１脚部と該第２脚部に組付け可能にしてあることを特徴とする組立椅子である。【０００５】  このように、本発明においては、板状の材料を所定の形状にトリミングするだけで製作することができ、しかも必要最小限の３個の部品で組立椅子を構成することができる。したがって、製作が容易であるだけでなく、小型・軽量であり、組立も容易にすることができる利点がある。
さらに、脚部同士が対角線方向に強固に組みつけられるため、斜め方向にも剛性・強度を向上する効果も奏することができる。【０００６】  前記第１脚部及び前記第２脚部は、板状の材料を台形状に形成してもよい。
脚部を台形状にすることにより、安定性を増すことができる。【０００７】  前記第１脚部及び前記第２脚部は、該第１脚部と該第２脚部の下辺には開口部を設けてもよい。
開口部を設けることにより、着地の安定性を向上させることができるし、軽量化と材料の節約する利点がある。
【発明の効果】
【０００８】  このように、本発明においては、板状の材料を所定の形状にトリミングするだけで製作することができ、しかも必要最小限の３個の部品で組立椅子を構成することができる。したがって、製作が容易であるだけでなく、小型・軽量であり、組立・分解も容易にすることができる利点がある。
さらに、脚部同士が対角線方向に強固に組みつけられるため、斜め方向にも剛性・強度を向上する効果も得ることができる。
また、脚部には開口部を設けたため、着地姿勢を安定させるとともに、強度を損なうことなく脚部を軽量化できるという利点がある。
【発明を実施するための最良の形態】
【０００９】  初めに第１の発明の実施形態を説明する。
図１は本発明の第１の実施形態の組立椅子を組立てた状態を示す斜視図あり、１は組立椅子、２は座面、３は第１脚部、４は第２脚部である。
図２は、第１脚部３の単体の詳細な斜視図である。第１脚部３は、木製又は発泡スチロール、発泡ウレタン、合成ゴム等の合成樹脂製の平板を略台形にトリミングした形状に形成され、台形の上辺を座面取付面３３とし、底辺は着地面３１としている。着地面３１には、下辺側に開いた開口３５が設けられている。開口３５は略台形をしており、開口の上辺は開口上面３６を構成している。【００１０】  さらに、開口上面３６から、第１脚部３の中央を上方に向かって、取付溝３２が設けられている。取付溝３２は幅Ｗ１の一定間隔を有し、後述の第２脚部４の板厚ｔ２と等しいかやや大きくしてある。取付溝３２の長さはＬ１とし、後述する第２脚部のＬ２と同じかやや長く設定してある。
座面取付面３３には、２箇所に結合部として円柱状の結合突起３４が垂直上向きに設けられている。【００１１】  図３に第２脚部４の斜視図を示す。第２脚部も台形状の外形をしており、座面取付面４３、着地面４１、開口４５は第１脚部と同一であり、取付溝４２が上方に設けられている点が異なる。
第２脚部４の取付溝４２は、着座面４３側から、中央を下方に向かって設けられている。取付溝４２の幅Ｗ２は、第１の脚部の板厚ｔ１と等しいかやや大きくしてある。取付溝４２の長さは、取付溝４２の下端から開口部上面４６までの距離Ｌ２が第１の脚部Ｌ１に等しくなるように設定してある。【００１２】  図４は座面２の単体の斜視図を示す。木製又は合成樹脂製の板を正方形にトリミングしてあり、２１は上面、２２は下面である。
図５は座面２を下面２２側から見た状態を示す斜視図である。下面２２には、前記結合突起３４、４４に対応する位置の４箇所に結合部として結合穴２３が設けられている。結合穴２３の径及び深さは、円柱状の結合突起３４、４４の径及び長さと等しいかやや大きく設定してある。【００１３】  図６は第１脚部３と第２脚部４を組付けた状態を示す斜視図である。第２脚部４を第１脚部３の下方から上方に向かってスライドさせ、取付溝３２と取付溝４２を嵌合させて組付ける。
このようにして組付けた脚部の結合突起３４、４４に、座面２の結合穴２３を嵌合させて、図１に示す椅子として組立てる。【００１４】  このように、本実施形態においては、板状の材料を所定の形状にトリミングするだけで略製作することができ、しかも必要最小限の３個の部品で組立椅子を構成することができる。したがって、製作が容易であるだけでなく、小型・軽量であり、組立・分解も２作業でできる利点がある。
さらに、脚部同士が対角線方向に強固に組みつけられるため、剛性・強度を向上する効果も得ることができる。
また、脚部には開口部３５、４５を設けたため、着地姿勢を安定させるとともに、強度を損なうことなく脚部を軽量化できるという利点がある。
なお、脚部は底辺が大きい台形をしているので、安定性を向上することができる。【００１５】  図７は第２の実施形態の座面２を示す斜視図である。本実施形態においては、丸穴２３が対角線方向にあけられている。図８は組立てた状態を示す斜視図である。
図９は、座面２を円盤状にした第３の実施形態にした組立椅子を示す斜視図である。
このように、種々変形することにより、意匠上の効果を奏することができる。【００１６】  図１０は第４の実施形態を示す第１脚部３を示す斜視図である。取付溝３２の上方延長線上に凹状の取付ガイド３７を設けたものである。なお、図示は省略してあるが、第２脚部にも同様の取付ガイド４７が設けられている。
図１１は第５の実施形態を示す第１の脚部３を示す斜視図である。取付溝３２の上方延長線上に凸状の取付ガイド３７を設けたものである。なお、図示は省略してあるが、第２脚部にも同様の取付ガイド４７が設けられている。
取付ガイド３７により、脚部を強固に組立てることができる。【００１７】  図１２は第６の実施形態を示す座面２の結合穴２３の断面図であり、２３Ａは最奥拡大部、２３Ｂは中間縮小部、２３Ｃは入口拡大部である。
図１３は第６実施形態の結合突起３４を示す斜視図であり、３４Ａは縮小部、３４Ｂ中間拡大部、３４Ｃは先端縮小部である。結合穴２３の中間縮小部２３Ｂの径は、結合突起３４の中間拡大部３４の径よりやや小さくしてある。【００１８】  このため、組立後に不用意に座面２が脱落するのを防止することができる。
なお、結合突起３４には、縱にスリット３４Ｄが設けられているため、組付け時に無理な力が加わらずスムーズに組付け、かつ分解が可能である。
この実施形態では、結合突起３４は断面が円型であるが、必ずしも円型でなくても楕円形や矩形等の任意形状を選ぶことができる。
また、結合突起と結合穴の組合せでなく、マジックテープを使うことも可能である。
座面２、第１脚部３、第２脚部４の材質は木や軽量化のため発泡スチロール等の合成樹脂を用いてもよいが、再生紙を用いたダンボールを重ねたもの、あるいは再生パルプを用いると、使い捨てにしても環境にやさしい組立椅子とすることができる。
【産業上の利用可能性】
【００１９】  本発明の組立椅子は、主として行楽等に使う携帯用の椅子であるが、地震等の非常用備蓄品として用いることもできるし、椅子だけでなくテーブルに応用することも可能である。
【図面の簡単な説明】
【００２０】
【図１】  第１の実施形態の組立椅子を示す斜視図である。
【図２】  第１の実施形態の第１脚部を示す斜視図である。
【図３】  第１の実施形態の第２脚部を示す斜視図である。
【図４】  第１の実施形態の座面を示す斜視図である。
【図５】  第１の実施形態の座面の裏側を示す斜視図である。
【図６】  第１の実施形態の第１脚部と第２脚部を組立てた状態を示す斜視図である。
【図７】  第２の実施形態の座面を示す斜視図である。
【図８】  第２の実施形態の組立椅子を組付けた状態を示す斜視図である。
【図９】  第３の実施形態の組立椅子を示す斜視図である。
【図１０】  第４の実施形態の第１脚部を示す斜視図である。
【図１１】  第５の実施形態の第１脚部を示す斜視図である。
【図１２】  第６の実施形態の座面の結合穴を示し、図５のＡ−Ａ断面を示す。
【図１３】  第６の実施形態の結合突起を示す斜視図である。
【符号の説明】
【００２１】  （１）は組立椅子
（２）は座面
（３）は第１脚部
（４）は第２脚部
（３２）は第１脚部の取付溝
（４２）は第２脚部の取付溝
【図１】
2007125351.tif 000003
【図２】
2007125351.tif 000004
【図３】
2007125351.tif 000005
【図４】
2007125351.tif 000006
【図５】
2007125351.tif 000007
【図６】
2007125351.tif 000008
【図７】
2007125351.tif 000009
【図８】
2007125351.tif 000010
【図９】
2007125351.tif 000011
【図１０】
2007125351.tif 000012
【図１１】
2007125351.tif 000013
【図１２】
2007125351.tif 000014
【図１３】
2007125351.tif 000015